(57)【特許請求の範囲】
【請求項１】
導電シートを縫製したもので、撮像装置を差し入れる開口部を有するとともに、前記撮像装置を収納する袋状に構成されており、
袋状本体部の一部が折り返されてオーバーラップとされており、前記オーバーラップにおける中層シート部と内層シート部に記録媒体を出し入れするための窓孔が形成され、前記オーバーラップにおける外層シート部に前記窓孔を開閉するカバー片が形成され、前記カバー片は前記窓孔に位置対応しており、かつ、前記カバー片は前記窓孔より大きく形成されていることを特徴とする電磁波障害遮断用カバー。
【請求項２】
前記導電シートは、中層の導電性生地と、前記導電性生地の表裏両面に一体化した絶縁性生地とのサンドイッチ構造のものに構成されていることを特徴とする請求項１に記載の電磁波障害遮断用カバー。
【請求項３】
前記撮像装置の収納状態でそのビューファインダ部に対応する位置にファインダ覗き窓孔が形成されていることを特徴とする請求項１または請求項２に記載の電磁波障害遮断用カバー。
【請求項４】
前記撮像装置の収納状態でその操作部に対応する位置に、その操作部を表記するインデックスが付されていることを特徴とする請求項１から請求項３までのいずれかに記載の電磁波障害遮断用カバー。
【請求項５】
前記カバー片に記録媒体出し入れ口を示すインデックスが付されていることを特徴とする請求項１から請求項４までのいずれかに記載の電磁波障害遮断用カバー。
【請求項６】
前記撮像装置を収納する袋状本体部と、前記撮像装置に接続のコントローラを収納する袋状延長部とを有し、前記袋状延長部を前記袋状本体部に連結してあることを特徴とする請求項１から請求項５までのいずれかに記載の電磁波障害遮断用カバー。
【請求項７】
前記撮像装置を収納する袋状本体部と、前記撮像装置に接続のケーブルを収納する袋状延長部とを有し、前記袋状延長部を前記袋状本体部に連結してあることを特徴とする請求項１から請求項６までのいずれかに記載の電磁波障害遮断用カバー。
【発明の詳細な説明】
【０００１】
【発明の属する技術分野】
本発明は、撮像装置に被せることにより、強電界環境での電磁波による不要輻射、電磁波障害（ＥＭＩ：Electromagnetic Interference）を防止するようにした電磁波障害遮断用カバーに関するものである。
【０００２】
【従来の技術】
近年、例えば、携帯電話やＰＨＳ（簡易型携帯電話）などの電磁波を放射する携帯情報端末を使用する条件で撮像装置を用いる機会が増えている。また、航空管制塔のレーダーの近傍など強力な電磁波を放射する設備やその近傍において撮像装置を用いる機会もある。このような場合に、その撮像装置が電磁波障害を受けるおそれがある。このような電磁波障害を受けるおそれのある環境を「強電界環境」と称するが、近時において、このような強電界環境のもとでの撮像装置の使用の問題がクローズアップされている。
【０００３】
放送用、業務用、民生用を問わず撮像装置は、電磁波障害を起こし得る強電界環境で使用される場合が多いのである。例えば、無線やテレビ・ラジオ放送の電波が存在する場所での撮像装置の使用はよくあることである。近傍で携帯電話等を使用するときにも、電磁波障害を受けやすいのである。
【０００４】
従来、このような電磁波障害を遮断するための対策として用いられているものに、金属筐体の密閉構造によるシールドがある。
【０００５】
【発明が解決しようとする課題】
しかしながら、近時の強電界環境にはきわめて強力なものが出現しており、上記のような従来の金属筺体の密閉構造のシールドだけでは電磁波障害を防止しきれなくなってきている。そして、電磁波障害が生じると、出力される映像信号に乱れが生じたり、音声信号にノイズが混入したり、あるいは撮像装置に誤動作を引き起こしたりするといった問題がある。
【０００６】
ここにおいて、強電界環境で使用される撮像装置の使用のための前提条件として、電磁波障害を遮断すべき有効な対策が望まれるようになっている。
【０００７】
本発明は、このような事情に鑑みて、上記した課題の解決を図るべく創作したものであって、撮像装置を強電界環境において使用する際に電磁波障害を有効に遮断することができる電磁波障害遮断用カバーを提供することを目的としている。
【０００８】
【課題を解決するための手段】
上記した課題の解決を図ろうとする本発明の電磁波障害遮断用カバーは、導電シートを縫製することによって撮像装置収納のための袋状に構成したものである。その袋状本体部の開口部から撮像装置を差し入れて内部に収納するのであるが、レンズ部を開口部から外部に臨ませることで、収納状態でも撮影を可能となしてある。この構成による作用は次のようになる。例えば、携帯電話やＰＨＳなどの電磁波を放射する携帯情報端末を使用する条件で撮像装置を用いたり、航空管制塔のレーダーの近傍で撮像装置を用いたりする場合など強電界環境での使用条件で電磁波障害を受けるおそれがある場合に、撮像装置のほぼ全体を本発明による電磁波障害遮断用カバーによって覆うことにより、この電磁波障害遮断用カバーによって強電界環境での電磁波を遮断し、電磁波が撮像装置に障害を与えることを確実に防止する。これにより、電磁波障害に起因するところの出力映像信号の乱れ、音声信号へのノイズ混入、あるいは装置の誤動作を防止することができる。
【０００９】
【発明の実施の形態】
以下、本発明の実施の形態を総括的に説明する。
【００１０】
第１の発明の電磁波障害遮断用カバーは、導電シートを縫製したもので、撮像装置を差し入れる開口部を有するとともに、前記撮像装置を収納する袋状に構成されており、袋状本体部の一部が折り返されてオーバーラップとされており、前記オーバーラップにおける中層シート部と内層シート部に記録媒体を出し入れするための窓孔が形成され、前記オーバーラップにおける外層シート部に前記窓孔を開閉するカバー片が形成され、前記カバー片は前記窓孔に位置対応しており、かつ、前記カバー片は前記窓孔より大きく形成されていることを特徴とする。この第１の発明によると、強電界環境での使用条件下であっても、当該の電磁波障害遮断用カバーにより撮像装置のほぼ全体をすっぽりと安定的に覆うことができ、その状態で撮像装置を電磁波障害から保護することができる。その結果として、電磁波障害に起因するところの出力映像信号の乱れ、音声信号へのノイズ混入、あるいは装置の誤動作を予防することができる。また、撮像装置が映像記録機能を有していて、その記録媒体としてカード式メモリなど着脱自在なものを用いる場合、撮像装置を収納したままの状態で記録媒体を出し入れすることができる。そのように記録媒体の出し入れが可能でありながら、カバー片によって閉じることにより、窓孔からの電磁波の侵入を防止することができる。
【００１１】
第２の発明の電磁波障害遮断用カバーは、上記第１の発明において、前記導電シートは、中層の導電性生地と、前記導電性生地の表裏両面に一体化した絶縁性生地とのサンドイッチ構造のものに構成されていることを特徴とする。この第２の発明によると、中層の導電性生地によって電磁波の内部侵入を防止し、表裏両面の絶縁性生地によって外部からのショック等を和らげ、また人体接触時の不快感を軽減する。そして、サンドイッチ構造により、引っ張りや変曲に対する強度を有しながら、しなやかさを併せもち、撮影の作業性・操作性を良好なものにする。
【００１２】
第３の発明の電磁波障害遮断用カバーは、上記の第１、第２の発明において、前記撮像装置の収納状態でそのビューファインダ部に対応する位置にファインダ覗き窓孔が形成されていることを特徴とする。この第３の発明によると、ファインダ覗き窓孔から撮像装置のビューファインダ部を目視できるので、カメラマン等操作者にとって撮影の作業や各種の操作はなんら妨げられることがなく、通常と変わりない適正な作業・操作を行うことができる。また、電気回路部露出端子でのショートを防止することができる。
【００１３】
第４の発明の電磁波障害遮断用カバーは、上記の第１〜第３の発明において、前記撮像装置の収納状態でその操作部に対応する位置に、その操作部を表記するインデックスが付されていることを特徴とする。この第４の発明によると、操作部を含めて撮像装置の全体を覆うために操作部そのものは見えないが、インデックスを指標として操作部の位置を知ることができるため、カメラマン等操作者にとっては操作部の操作性が低下することはなく、通常と変わりない適正な作業・操作を行うことができる。
【００１５】
第５の発明の電磁波障害遮断用カバーは、上記の第１〜第４の発明において、前記カバー片に記録媒体出し入れ口を示すインデックスが付されていることを特徴とする。この第５の発明によると、そのカバー片が記録媒体出し入れ口であることが一目瞭然となる。
【００１６】
第６の発明の電磁波障害遮断用カバーは、上記の第１〜第５の発明において、前記撮像装置を収納する袋状本体部と、前記撮像装置に接続のコントローラを収納する袋状延長部とを有し、前記袋状延長部を前記袋状本体部に連結してあることを特徴とする。操作の一部またはすべてをコントローラにおいて遠隔的に行うことができるようにした撮像装置について、強電界環境での電磁波障害のおそれがあるときは、この第６の発明によって、コントローラ、その接続ケーブルおよび撮像装置の全体を電磁波障害遮断用カバーによって被覆することにより、撮像装置に対する電磁波障害だけでなく、マイクロコンピュータやバスラインを含むコントローラおよび接続ケーブルに対する電磁波障害をも回避することができる。
【００１７】
第７の発明の電磁波障害遮断用カバーは、上記の第１〜第６の発明において、前記撮像装置を収納する袋状本体部と、前記撮像装置に接続のケーブルを収納する袋状延長部とを有し、前記袋状延長部を前記袋状本体部に連結してあることを特徴とする。接続ケーブルは受信アンテナとして機能し、その受信アンテナとしてのケーブルから強電界環境での電磁波が侵入するおそれがある。この第７の発明によれば、そのケーブルを含めて撮像装置を電磁波障害遮断用カバーで覆うので、撮像装置に対する直接の電磁波障害だけでなく接続ケーブルを介しての間接的な電磁波障害をも回避することができる。
【００１８】
以下、本発明の電磁波障害遮断用カバーの具体的な実施の形態について、図面を用いて詳細に説明する。
【００１９】
（実施の形態１）
図１（ａ）は実施の形態１の電磁波障害遮断用カバーを撮像装置に被せる前の様子を示す斜視図、図１（ｂ）は被せた状態の様子を示す斜視図である。図２は電磁波障害遮断用カバーの主要な構成材料としての導電シートの概略構成を示す断面図である。なお、撮像装置としてカメラ一体型ＶＴＲ（ハンディカメラ）を例示している。
【００２０】
図１に示す本実施の形態１の電磁波障害遮断用カバー５０は袋状に構成されているが、この袋状の電磁波障害遮断用カバー５０のもとは概略図２に示す導電シート１であって、この導電シート１を袋状に縫製することにより電磁波障害遮断用カバー５０を構成している。この袋状の電磁波障害遮断用カバー５０は、撮像装置２０を差し入れて収納するものとして構成されている。
【００２１】
導電シート１は、中層の導電性生地２と、その導電性生地２の表裏両面にラミネートして一体化した絶縁性生地３，３とのサンドイッチ構造を有している。このうち導電性生地２は、導電性材料を布状に加工したものであって、電磁波を遮断する機能を有している。その電磁波遮断性能は、強電界環境での電磁波に対しても充分に有効なレベルのものとなっている。また、絶縁性生地３は、人体に接触しても不快感がない木綿等の生地を加工したものであって、導電性生地２における例えばマイクロフォン端子等の電気回路部露出端子のショートを防止する機能を有している。
【００２２】
図２に示す導電性生地２とその表裏両面の絶縁性生地３，３のサンドイッチ構造をもつ導電シート１を所要の形状に裁断し、所要の手順で縫製することにより、図１に示す袋状の電磁波障害遮断用カバー５０を作製している。
【００２３】
撮像装置２０の要素として、符号の２１は撮像装置本体、２２はレンズ部、２３はビューファインダ部、２４はバッテリー部、２５は把手部である。
【００２４】
電磁波障害遮断用カバー５０は、その袋状本体部１１が釣鐘形状に構成されていて、その中心線まわりの回転対称形となっており、中心線方向の一端部が撮像装置２０を収納のために差し入れるべき開口部１２とされ、他端は有底状に縫製されている。袋状本体部１１には撮像装置２０のビューファインダ部２３に対応するファインダ覗き窓孔１３が形成されている。
【００２５】
釣鐘形状の袋状本体部１１のサイズは、その開口部１２から撮像装置２０を差し入れたときに、その全体がほぼ収納されるような大きさとなっている。すなわち、開口部１２のサイズは、撮像装置２０の断面積の最も大きな部分よりもひと回り大きなサイズとなっており、袋状本体部１１の奥行き寸法は、撮像装置２０の全体を収納するに足りる長さとなっている。
【００２６】
撮像装置本体２１、レンズ部２２、ビューファインダ部２３、バッテリー部２４および把手部２５を含めて撮像装置２０の全体を電磁波障害遮断用カバー５０に対して、その開口部１２から差し入れることにより、撮像装置２０の全体を電磁波障害遮断用カバー５０内に収納する。すなわち、電磁波障害遮断用カバー５０によって撮像装置２０の全体を覆う。このとき、レンズ部２２のレンズ面が電磁波障害遮断用カバー５０の開口部１２から外部に露出し、また、ビューファインダ部２３のファインダ面がファインダ覗き窓孔１３に一致するように覆う。
【００２７】
例えば、携帯電話やＰＨＳ（簡易型携帯電話）などの電磁波を放射する携帯情報端末を使用する条件で撮像装置２０を用いたり、航空管制塔のレーダーの近傍で撮像装置２０を用いたりする場合など強電界環境での使用条件で電磁波障害を受けるおそれがあると考えられる場合には、電磁波障害遮断用カバー５０を用いる。つまり、撮像装置２０のほぼ全体を電磁波障害遮断用カバー５０によって覆うことにより、その電磁波障害遮断用カバー５０によって強電界環境での電磁波を遮断し、電磁波が撮像装置２０に障害を与えることを確実に防止する。これにより、電磁波障害に起因するところの出力映像信号の乱れ、音声信号へのノイズ混入、あるいは装置の誤動作を防止することができる。
【００２８】
そして、袋状の電磁波障害遮断用カバー５０に撮像装置２０のほぼ全体をすっぽりと安定的に収納しているとともに、カメラマン等操作者が覗き込むべきビューファインダ部２３はファインダ覗き窓孔１３から外部に露出しているので、操作者による撮影の作業や各種の操作はなんら妨げられることがなく、通常と変わりない適正な作業・操作が可能となっている。もちろん、撮影中に電磁波障害遮断用カバー５０が不測に外れるといった心配もない。また、マイクロフォン端子等の電気回路部露出端子がショートを起こすおそれもない。
【００２９】
（実施の形態２）
実施の形態２は、撮像装置における各種の操作部を、電磁波障害遮断用カバーの装着にかかわらず適正に操作できるように工夫したものである。図３は実施の形態２の電磁波障害遮断用カバーと撮像装置とを示す概略図である。
【００３０】
撮像装置２０において、その撮像装置本体２１の側面に操作部２６，２７が設けられているとする。操作部２６，２７は、機能別としてゲイン切り換えやオートホワイト／ブラックバランスをはじめとして様々なものがあり、種類別として操作スイッチ、操作ボタン、操作キー、操作レバーなどがある。その形態は、押圧式、スライド式、揺動式、回転式などさまざまである。電磁波障害遮断用カバー５０の袋状本体部１１において、撮像装置２０の操作部２６，２７に対応して、その位置がある特定の操作部であることを表記するインデックス１４，１５が設けられている。インデックス１４，１５としては、袋状本体部１１とは別に作製したものを、袋状本体部１１の所要の箇所に縫い付ける等すればよい。各インデックス１４，１５には、それぞれが対応する操作部２６，２７の機能名等が印刷等により表記されているものとする。機能名等としては、アイコン的な絵図表示でもよい。インデックス１４，１５として刺繍を施したものでもよいし、各操作部を認識できるようなシールを貼り付けたものでもよい。
【００３１】
なお、実施の形態１（図１）の場合のようなファインダ覗き窓孔１３は設けられていない。もっとも、同様なファインダ覗き窓孔１３を設けてもよいことはいうまでもない。
【００３２】
強電界環境での電磁波障害のおそれがあるときは、実施の形態１の場合と同様に、撮像装置２０の全体を電磁波障害遮断用カバー５０に収納して覆うことにより、電磁波障害を回避する。
【００３３】
電磁波障害遮断用カバー５０と撮像装置２０との関係は、電磁波障害遮断用カバー５０に対する撮像装置２０の所要の収納状態において、その位置がある特定の操作部であることを表記しているインデックス１４，１５が操作部２６，２７に対応するようになっている。したがって、収納状態では、操作部２６，２７そのものは見えないが、インデックス１４，１５を指標として操作部２６，２７の位置を知ることができる。カメラマン等操作者は、操作部２６または２７を操作しようとするときは、インデックス１４または１５を基準にして、そのインデックスの上から指を当てることにより操作部を操作するものである。
【００３４】
以上のように本実施の形態２によれば、電磁波障害回避のために撮像装置２０を電磁波障害遮断用カバー５０によって被覆するが、それにもかかわらず、操作部２６，２７に位置対応する状態でその位置を指示しているインデックス１４，１５を操作の指標とすることができるので、カメラマン等操作者にとっては操作部２６，２７の操作性が低下することはなく、通常と変わりない適正な作業・操作が可能となっている。
【００３５】
（実施の形態３）
実施の形態３は、撮像装置が映像記録機能を有していて、その記録媒体としてカード式メモリなど着脱自在なものを用いる場合に、撮像装置を収納したままの状態で記録媒体を出し入れできるようにした電磁波障害遮断用カバーについてのものである。
【００３６】
図４は実施の形態３の電磁波障害遮断用カバーを示す概略の斜視図である。袋状本体部１１の一部を折り返してオーバーラップ１６を構成している。このオーバーラップ１６において、袋状本体部１１は、外層シート部１６ａと中層シート部１６ｂと内層シート部１６ｃとの３層構造となっている。
【００３７】
中層シート部１６ｂと内層シート部１６ｃのそれぞれには互いに位置対応して記録媒体出し入れ用の窓孔１７ｂ，１７ｃが形成されている。これら窓孔１７ｂ，１７ｃの形成位置は、この袋状の電磁波障害遮断用カバー５０に撮像装置２０を収納した状態で、その収納姿勢にある撮像装置２０における記録媒体装填口に位置対応したものとする。外層シート部１６ａには窓孔１７ｂ，１７ｃに位置対応してそれを開閉するためのカバー片１７ａが設けられている。カバー片１７ａは、外層シート部１６ａにコの字状の切り込み１８を入れることによって形成されている。なお、カバー片１７ａには、その位置が記録媒体の出し入れ箇所であることを表記しているインデックスを付することが好ましい。
【００３８】
撮像装置２０に対して記録媒体を装脱着するときには、カバー片１７ａをめくって窓孔１７ｂ，１７ｃを開放し、その開放された窓孔１７ｂ，１７ｃから記録媒体を出し入れする。それが終わると、カバー片１７ａを閉じる。なお、カバー片１７ａの閉じ状態を安定化するために、ジッパーやマジックファスナーやボタンを利用することが好ましい。
【００３９】
本実施の形態３においては、窓孔１７ｂ，１７ｃを通して記録媒体の出し入れが可能となっているにもかかわらず、カバー片１７ａを設けてあるので、窓孔１７ｂ，１７ｃからの電磁波の侵入を防止することができる。
【００４０】
（実施の形態４）
撮像装置の操作の一部またはすべてを外部のコントローラで行うことがあるが、実施の形態４は、そのようなコントローラを含めて電磁波障害対策を行うための電磁波障害遮断用カバーについてのものである。
【００４１】
図５はコントローラを含めて撮像装置を電磁波障害遮断用カバーで覆った状態を示す概略図である。撮像装置２０の撮像装置本体２１に対して外部のコントローラ３０をその接続ケーブル３１を介して接続するようになっている。コントローラ３０は、マイクロコンピュータや撮像装置２０との通信を行うデータバス、アドレスバスおよびゲイン切り換え等の各種操作部から構成される。
【００４２】
電磁波障害遮断用カバー５０は、撮像装置２０を収納する袋状本体部１１と、接続ケーブル３１を含めてコントローラ３０の全体を収納するコントローラ用の袋状延長部１１ａとからなり、袋状延長部１１ａを袋状本体部１１に対して一連一体に縫製してある。あるいは、袋状延長部１１ａは袋状本体部１１に対して着脱自在としてもよい。
【００４３】
なお、袋状延長部１１ａのうちコントローラ３０に対応する最も奥の部分に、そこがコントローラ３０の収納部位であることを示すインデックスを付すことが好ましい。
【００４４】
また、袋状本体部１１において、実施の形態１（図１）の場合のようなビューファインダ部用のファインダ覗き窓孔１３を設けてあってもよいし、また、実施の形態２（図３）のような操作部指標用のインデックス１４，１５を設けてあってもよい。
【００４５】
操作の一部またはすべてをコントローラ３０において遠隔的に行うことができるようにした撮像装置２０について、強電界環境での電磁波障害のおそれがあるときは、コントローラ３０、接続ケーブル３１および撮像装置２０の全体を電磁波障害遮断用カバー５０によって被覆する。すなわち、袋状延長部１１ａにコントローラ３０および接続ケーブル３１を奥まで差し入れ、袋状本体部１１に撮像装置２０のほぼ全体を収納する。これにより、撮像装置２０に対する電磁波障害だけでなく、マイクロコンピュータやバスラインを含むコントローラ３０および接続ケーブル３１に対する電磁波障害をも回避することができる。
【００４６】
（実施の形態５）
撮像装置に対して報道用マイク等の各種の機器のケーブルが接続されることがある。実施の形態５は、そのような接続ケーブルを含めて電磁波障害対策を行うための電磁波障害遮断用カバーについてのものである。
【００４７】
図６は接続ケーブルを含めて撮像装置を電磁波障害遮断用カバーで覆った状態を示す概略図である。撮像装置２０の撮像装置本体２１に対して単数または複数の接続ケーブル４０を着脱自在に接続するようになっている。
【００４８】
強電界環境での電磁波妨害のおそれがあるときは、接続ケーブル４０が受信アンテナとなって、この接続ケーブル４０に電磁波が侵入する可能性がある。そうなると、接続ケーブル４０を介して送出する映像信号に乱れが発生したり、接続ケーブル４０を介して受け取る制御信号にノイズが混入して、撮像装置２０が誤動作を起こすおそれがある。
【００４９】
電磁波障害遮断用カバー５０は、撮像装置２０を収納する袋状本体部１１と、接続ケーブル４０を収納するためのテイル状（尻尾状）の袋状延長部１１ｂとからなり、この接続ケーブル用の袋状延長部１１ｂを袋状本体部１１に一連一体に縫製してある。あるいは、袋状延長部１１ｂは袋状本体部１１に対して着脱自在としてもよい。接続ケーブル用の袋状延長部１１ｂの一端は接続ケーブル４０のコネクタの接続のための開口部となっている。
【００５０】
なお、袋状本体部１１において、実施の形態１（図１）の場合のようなビューファインダ部用のファインダ覗き窓孔１３を設けてあってもよいし、また、実施の形態２（図３）のような操作部指標用のインデックス１４，１５を設けてあってもよい。
【００５１】
強電界環境での電磁波障害のおそれがあるときは、撮像装置２０および接続ケーブル４０の全体を電磁波障害遮断用カバー５０によって被覆する。すなわち、袋状延長部１１ｂに接続ケーブル４０を通し、袋状本体部１１に撮像装置２０のほぼ全体を収納する。これにより、撮像装置２０に対する直接の電磁波障害だけでなく、接続ケーブル４０を介しての間接的な電磁波障害をも回避することができる。
【００５２】
なお、以上のいずれの実施の形態の電磁波障害遮断用カバー５０についても、導電シート１を袋状に縫製した形状のものとして説明したが、開口部１２の口縁部分に開口部１２の開閉を行うための紐を設けるようにしてもよい。
【００５３】
【発明の効果】
以上のように本発明によれば、強電界環境での使用条件で電磁波障害を受けるおそれがある場合に、電磁波障害遮断用カバーによって強電界環境での電磁波を遮断することができる。したがって、電磁波障害に起因するところの出力映像信号の乱れ、音声信号へのノイズ混入、あるいは装置の誤動作を予防することができる。
【図面の簡単な説明】
【図１】  本発明の実施の形態１の電磁波障害遮断用カバーとそれによって覆われる撮像装置とを示す概略図
【図２】  本発明の各実施の形態の電磁波障害遮断用カバーの構成材料としての導電シートの概略構成を示す断面図
【図３】  本発明の実施の形態２の電磁波障害遮断用カバーと撮像装置とを示す概略図
【図４】  本発明の実施の形態３の電磁波障害遮断用カバーを示す概略図
【図５】  本発明の実施の形態４の電磁波障害遮断用カバーとそれによって覆われる撮像装置およびコントローラを示す概略図
【図６】  本発明の実施の形態５の電磁波障害遮断用カバーとそれによって覆われる撮像装置および接続ケーブルを示す概略図
【符号の説明】
１…導電シート                          ２…導電性生地
３…絶縁性生地                        １１…袋状本体部
１１ａ…コントローラ用の袋状延長部
１１ｂ…接続ケーブル用の袋状延長部
１２…開口部                            １３…ファインダ覗き窓孔
１４，１５…操作部指標用のインデックス
１６…オーバーラップ                    １６ａ…外層シート部
１６ｂ…中層シート部                    １６ｃ…内層シート部
１７ａ…窓孔の開閉用のカバー片
１７ｂ，１７ｃ…記録媒体出し入れ用の窓孔
１８…切り込み                            ２０…撮像装置
２２…レンズ部                            ２３…ビューファインダ部
２６，２７…操作部                        ３０…コントローラ
３１…接続ケーブル                        ４０…接続ケーブル
５０…電磁波障害遮断用カバー
【図１】
0003811587.tif 000002
【図２】
0003811587.tif 000003
【図３】
0003811587.tif 000004
【図４】
0003811587.tif 000005
【図５】
0003811587.tif 000006
【図６】
0003811587.tif 000007